(57)【要約】【課題】より高度な視覚効果を備え、かつ、人間の視覚によっても、読取機械によっても特徴を把握し真贋判定が容易な表示体を提供すること。さらに、従来の表示体では表現できなかった新規な視覚効果により、アイキャッチ効果が高く、回折光による画像の視認性が向上し意匠性が高い表示体を提供すること。【解決手段】微細構造形成層において、微細レリーフ構造を有する微細レリーフ部と回折格子を有する回折格子部とが互いに隣接して設けられ、前記微細レリーフ部および／または前記回折格子部の少なくとも一部の領域に反射層が積層されていることを特徴とする。また、前記微細レリーフ部が、一次回折光を主として射出し、前記微細レリーフ部の可視光反射率が２０％以下であり、かつ前記回折格子部の可視光反射率が５０％以上であることを特徴とする。【選択図】図２
2011027832.tif 000002
【特許請求の範囲】
【請求項１】
微細構造形成層を有する表示体において、
前記微細構造形成層は微細レリーフ構造を有する微細レリーフ部と回折格子を有する回折格子部とが互いに隣接して設けられ、
前記微細レリーフ部および／または前記回折格子部の少なくとも一部の領域に反射層が積層されていることを特徴とする表示体。
【請求項２】
前記微細レリーフ部が、一次回折光を主として射出することを特徴とする、
前記請求項１に記載の表示体。
【請求項３】
前記微細レリーフ部の可視光反射率が２０％以下であり、かつ前記回折格子部の可視光反射率が５０％以上であることを特徴とする、
前記請求項１または２に記載の表示体。
【請求項４】
前記微細レリーフ部および前記回折格子部の領域の全面に前記反射層を設けたことを特徴とする前記請求項１ないし３のいずれかに記載の表示体。
【請求項５】
前記微細レリーフ部には前記反射層を設けず、前記回折格子部の少なくとも一部の領域に前記反射層を設けたことを特徴とする、
前記請求項１ないし３のいずれかに記載の表示体。
【請求項６】
前記微細レリーフ部の一部の領域に前記反射層を設け、かつ前記回折格子部の一部の領域に前記反射層を設けたことを特徴とする、
前記請求項１ないし３のいずれかに記載の表示体。
【請求項７】
前記反射層の領域が、文字形状あるいは絵柄形状で形成されていることを特徴とする、
前記請求項１ないし６のいずれかに記載の表示体。
【請求項８】
前記請求項１ないし７のいずれかに記載の表示体が、
基材に貼付または積層されていることを特徴とする偽造防止媒体。
【請求項９】
前記請求項１ないし７のいずれかに記載の表示体において、
少なくとも前記表示体の一部が基材に漉き込まれていることを特徴とする偽造防止媒体。
【請求項１０】
前記請求項１ないし７のいずれかに記載の表示体において、
前記微細構造形成層に少なくとも剥離保護層および支持体層を積層してなることを特徴とする転写箔。
【請求項１１】
前記請求項１０に記載の転写箔において、
各層間における密着補助層と、文字および画像を印刷により設けた印刷層とが少なくとも一部に形成されていることを特徴とする転写箔。
【請求項１２】
前記請求項１０または１１に記載の転写箔が、
基材に貼付または積層されていることを特徴とする偽造防止媒体。
【発明の詳細な説明】
【技術分野】
【０００１】
本発明は、偽造防止用途に好適な表示体および転写箔並びに偽造防止媒体に関する。
【背景技術】
【０００２】
従来、偽造を防止する手段としては、簡単に真似する事のできない微細構造や色調変化を施したり、または他の光学機能フィルムを判定子として、それとの組み合わせでのみある光学的現象が観察されるような構成としたり、更には専用の読取装置でのみ一定のパターン等が読み取れるような構成とするなど、様々な態様が技術の進歩とともに実用化されてきた。
【０００３】
その中でも、実際の運用上の簡便さから、最も利用されているものの一つとして、ホログラムや回折格子像が挙げられる。
ホログラムは、二光束干渉などの光学的撮影方法により、微細な凹凸パターンや、屈折率分布を設ける事で作製される。一方、回折格子像は、微小なエリアに回折格子を配置したものを画素として作製される。
上記ホログラムや回折格子像は、双方ともに偽造困難で、カラーコピー機等による複写も困難で、また意匠的にも優れる事から、クレジットカードやＩＤカード、各種有価証券、証明書等に広く用いられている。
【０００４】
しかしながら、実際の運用上ではホログラムや回折格子像の真偽判定は人の目に委ねられるため、微視的には粗悪な偽造品であっても全ての人が肉眼で一様に正確な真偽判定を行う事は容易でない。
【０００５】
また、上述のようなホログラムや回折格子像が流通、普及していく中で、偽造技術も進歩していくため、より偽造困難な表示体が求められている。
例えば、表面レリーフ構造のホログラムや回折格子は密着露光により複製される恐れがある。偽造を防ぐため、例えば回折効果を持つ細かいパターンの配置に工夫を凝らす技術が特許文献１に記載されている。このセキュリティデバイスは、目視では情報が読み取れないようにセキュリティ情報の有無を分かり難くしている。
【０００６】
従って、真正品か否かの判断は目視では困難であるから、その判定には読み取り機械を使用する事になる。
また、密着露光法で複製されたホログラムや回折格子は、オリジナルと比較すれば精度の低下を確認できるが、通常複製品は複製品のみで流通するため、専門家ではない一般の人には真正品か否かの判断が困難であるという問題がある。
【０００７】
微細な凹凸を設けた基材は、入射した光の反射を抑える事が知られている。例えば、ある種の反射防止フィルムは、フィルム基材表面に細かい凹凸のエンボス加工を施したり、フィルム形成樹脂そのものにフィラーを混ぜ込む事で、フィルムの屈折率に分布を持たせるとともに、フィルム表面に凹凸を形成する。
【０００８】
近年では、この凹凸を更に微細に、凸部の周期を光の波長以下とする事で、光の反射を防ぎ入射光を制御できる事が開示されている（例えば特許文献２参照）。この技術は、凸部の周期が光の波長以下、特に５０〜２５０ｎｍ程度とする事で、光の反射を抑制し、光制御シートに適用したというものである（以下、この様な光の波長以下の凸部周期を持つ凹凸構造を、微細レリーフと称する）。この発明によれば、低反射になるので入射光の反射損失を防ぐことができるが、回折光による視覚効果は特に考慮されていない。
【０００９】
また、微細レリーフに反射層を備える事で、回折光を制御し、回折光が観察可能な表示体とする事が開示されている。（例えば特許文献３参照）
【００１０】
しかしながら、このような微細レリーフに反射層を設けた構成の表示体は、従来の回折構造体より高精度な製造技術が必要なため偽造が困難である事から、偽造防止効果は高いが、表示体の水平方向に近い角度から観察しなければ回折光が発生せず、一般的な観察方法では灰色から黒色に見えるだけであり、地味で意匠性に乏しいという問題があった。
【先行技術文献】
【特許文献】
【００１１】
【特許文献１】特表２００２−５０５７７４号公報
【特許文献２】特開２００７−４８６８８号公報
【特許文献３】特開２００８−２７５７４０号公報
【発明の概要】
【発明が解決しようとする課題】
【００１２】
本発明は、上記問題に鑑み、上記の問題の解決を目的としている。即ち、本発明の第一の課題は、より高度な視覚効果を備え、且つ、偽造困難な表示体を提供することにある。本発明の第二の課題は、人間の視覚によっても、読取機械によっても特徴を把握し真贋判定が容易な表示体を提供することにある。本発明の第三の課題は、従来の表示体では表現できなかった新規な視覚効果により、アイキャッチ効果の高い表示体を提供することにある。さらに第四の課題は、回折光による画像の視認性が向上し意匠性が高い表示体を提供することにある。
【課題を解決するための手段】
【００１３】
本発明において、上記課題を達成するために、請求項１に記載の表示体は、
微細構造形成層を有し、前記微細構造形成層は微細レリーフ構造を有する微細レリーフ部と回折格子を有する回折格子部とが互いに隣接して設けられ、前記微細レリーフ部および／または前記回折格子部の少なくとも一部の領域に反射層が積層されていることを特徴とする。
【００１４】
微細レリーフ部と回折格子部とが隣接して設けられ、かつ反射層が積層されることにより、微細レリーフ部は低反射領域となり、回折格子部は高反射領域となる。これにより、回折光による画像のコントラストが高くなって、非常に明瞭な回折光画像が観察できる。
【００１５】
請求項２に記載の表示体は、
前記微細レリーフ部が、一次回折光を主として射出することを特徴とする。
【００１６】
この微細レリーフ部は、複数の微細な溝からなり、前記微細レリーフ部の法線方向及び前記回折格子部にて射出される一次回折光が観察できる角度範囲では、金属光沢が無く印刷面であるかのように明度も彩度も低い黒色又は灰色に見える。しかし、一定角度範囲内においては、微細レリーフの回折光がより明瞭に観察できる事を特徴とする表示体としたものである。
【００１７】
請求項３に記載の表示体は、
前記微細レリーフ部の可視光反射率が２０％以下であり、かつ前記回折格子部の可視光反射率が５０％以上であることを特徴とする。
【００１８】
請求項４に記載の表示体は、
前記微細レリーフ部および前記回折格子部の領域の全面に前記反射層を設けたことを特徴とする。
【００１９】
請求項５に記載の表示体は、
前記微細レリーフ部には前記反射層を設けず、前記回折格子部の少なくとも一部の領域に前記反射層を設けたことを特徴とする。
【００２０】
請求項６に記載の表示体は、
前記微細レリーフ部の一部の領域に前記反射層を設け、かつ前記回折格子部の一部の領域に前記反射層を設けたことを特徴とする。
【００２１】
請求項７に記載の表示体は、
前記反射層の領域が、文字形状あるいは絵柄形状で形成されていることを特徴とする。
【００２２】
請求項８に記載の偽造防止媒体は、
前記請求項１ないし７のいずれかに記載の表示体が、基材に貼付または積層されていることを特徴とする。
【００２３】
請求項９に記載の偽造防止媒体は、
少なくとも前記表示体の一部が基材に漉き込まれていることを特徴とする。
【００２４】
請求項１０に記載の転写箔は、
前記微細構造形成層に少なくとも剥離保護層および支持体層を積層してなることを特徴とする。
【００２５】
請求項１１に記載の転写箔は、
各層間における密着補助層と、文字および画像を印刷により設けた印刷層とが少なくとも一部に形成されていることを特徴とする。
【００２６】
請求項１２に記載の偽造防止媒体は、
基材に貼付または積層されていることを特徴とする。
【発明の効果】
【００２７】
本発明は以上の構成とすることによって、下記に示す如き効果がある。
【００２８】
即ち、本発明の表示体および転写箔並びに偽造防止媒体は、従来の表示体よりもコントラストの良い視覚効果を備え、且つ、偽造困難な表示体とする事ができ、また、表示された画像の特徴を把握し真贋判定が容易な表示体とする事ができる。更に、従来のホログラムや回折格子では表現できなかった新たな視覚効果を得る事により、高い意匠性を備え、アイキャッチ効果の高い表示体とする事ができる。
また、この表示体を用いた転写箔ならびに偽造防止媒体として活用することができる。
【図面の簡単な説明】
【００２９】
【図１】本発明に係る第１の構成ないし第３の構成の観察面を示す平面図。
【図２】本発明に係る第１の構成における図１のＡ−Ａ断面の構造を示す断面図。
【図３】本発明に係る第２の構成における図１のＡ−Ａ断面の構造を示す断面図。
【図４】本発明に係る第３の構成における図１のＡ−Ａ断面の構造を示す断面図。
【図５】本発明に係る第４の構成ないし第６の構成の観察面を示す平面図。
【図６】本発明に係る第４の構成における図１のＢ−Ｂ断面の構造を示す断面図。
【図７】本発明に係る第５の構成における図１のＢ−Ｂ断面の構造を示す断面図。
【図８】本発明に係る第６の構成における図１のＢ−Ｂ断面の構造を示す断面図。
【図９】本発明に係る第７の構成ないし第９の構成の観察面を示す平面図。
【図１０】本発明に係る第７の構成における図１のＣ−Ｃ断面の構造を示す断面図。
【図１１】本発明に係る第８の構成における図１のＣ−Ｃ断面の構造を示す断面図。
【図１２】本発明に係る第９の構成における図１のＣ−Ｃ断面の構造を示す断面図。
【図１３】本発明に係る第１０の構成の観察面を示す平面図。
【図１４】本発明に係る第１０の構成における図１３のＷ−Ｗ断面を示す断面図。
【図１５】本発明に係る第１１の構成の観察面を示す平面図。
【図１６】本発明に係る第１１の構成における図１５のＸ−Ｘ断面を示す断面図。
【図１７】本発明に係る第１２の構成の観察面を示す平面図。
【図１８】本発明に係る第１２の構成における図１７のＹ−Ｙ断面を示す断面図。
【図１９】比較例１の構成の観察面を示す平面図。
【図２０】比較例１の構成における図１９のＺ−Ｚ断面を示す断面図。
【発明を実施するための形態】
【００３０】
以下、図面を用いながら本発明の実施形態を詳細に説明する。
【００３１】
図１は、本発明の表示体の第１の構成〜第３の構成の観察面を示す平面図で、図２〜図４は図１のＡ−Ａを結ぶ線による断面部分の構成を示した図である。
なお、図２と図３、図４ではそれぞれ断面部における構成が異なるが、観察面側の平面図はいずれも図１と同様になるため、図１〜図４はその横軸方向の位置を揃えるようにして示した。
【００３２】
図１〜図４に示した各表示体は、それぞれ微細レリーフ部１５と回折格子部１６とを備えている。この回折格子部１６は、無地もしくは文字形状や地紋などの図形やパターン画像からなる回折画像領域１６ａ（図１の星形パターン）と、それと異なる回折光を発生させる回折画像領域１６ｂ（図１では点線で囲んだ文字パターン）の、少なくとも２種類の回折画像領域を備えている。
なお、前記微細レリーフ部１５と前記回折格子部１６は重ならないように互いに隣接して設けられており、両者の位置関係は、どちらが内側でも外側でもよい。
【００３３】
図２は、本発明の表示体および転写箔の第１の構成としてその断面構造を示す。
表示体１は、第一基材１１に微細構造形成層１２、反射層１３、接着層１４が、この順序で積層されている。また、表示体１の微細構造形成層１２は微細レリーフ部１５及び回折格子部１６からなり、微細レリーフ部１５は微細レリーフ構造で形成され、回折格子部１６は後述する回折構造で形成されている。
さらに微細レリーフ部１５と回折格子部１６は、互いに隙間無く隣接して形成されている。また反射層１３は、本事例では微細構造形成層１２の全面に形成され、更に接着層１４が反射層１３の全面に積層されている。
【００３４】
前記微細レリーフ構造は、光の波長以下の凸部周期を持つ凹凸構造を有しており、可視光反射率が低く、一次回折光を射出することが特徴である。
この構造を持つ表示体の法線方向からの観察では光沢のない黒色または灰色に見え、黒色印刷面であるかのように見えるので、一見して回折素子であることがわからない。そのため、微細な構造であることも相まって偽造が困難な表示体となる。
また、斜め方向からの観察では従来の回折格子とは異なる波長範囲の回折光を観察できることから、特徴的な視覚効果が得られるとともに、人間の目視でも機械のモニタリングでも真贋判定が容易である。
【００３５】
図３は、本発明の第２の構成による表示体としてその断面構造を示す。
表示体２は、第一基材１１に微細構造形成層１２、反射層１３、接着層１４、そして第二基材１７が、この順序で積層されている。また、表示体２の微細構造形成層１２は微細レリーフ部１５及び回折格子部１６を備えている。微細レリーフ部１５は微細レリーフ構造からなり、回折格子部１６は回折構造からなる。
さらに微細レリーフ部１５と回折格子部１６は、互いに隙間無く隣接して形成されている。また反射層１３は、本構成では微細構造形成層１２の全面に形成され、更に接着層１４が反射層１３の全面に積層され、さらに第二基材１７が積層されている。
【００３６】
すなわち、本発明の第２の構成においては、反射層１３が全面に設けられているので、前記微細レリーフ部１５は法線方向からの観察では光沢のない黒色に近い暗部として観察されるが、斜方向からの観察では観察角度に応じて波長範囲が異なる単色に近い一次回折光が観察される。
【００３７】
図４は、本発明の第３の構成による表示体としてその断面構造を示す。
表示体３は、支持体６１の一方の主面に剥離保護層６２、微細構造形成層１２、反射層１３、接着層１４が、この順で積層されている。また表示体３のうち支持体６１を除いた残りの層構成は、転写層６３となる。転写層６３は、被転写基材に転写するための転写箔として用いられる。
前記剥離保護層６２は、支持体６１から転写層６３を剥離した際、転写層を摩擦による傷や各種薬品などの付着から保護するための層である。
【００３８】
微細構造形成層１２は、剥離保護層６２側からの入射光によって回折光を発生させる回折格子部１６と、入射光をほとんど反射させないで灰色や黒色として視認される微細レリーフ部１５を有する。この微細レリーフ部１５と回折格子部１６は、互いに隙間無く隣接して形成されている。
そして反射層１３は、本構成では前記微細構造形成層１２の回折格子部１６および微細レリーフ部１５の全面に積層されている。
【００３９】
図５は、本発明の表示体の第４の構成〜第６の構成の観察面を示す平面図で、図６〜図８はそれぞれ図５のＢ−Ｂを結ぶ線による断面部分の構成を示した図である。
なお、図６と図７、図８では断面部における構成が異なるが、観察面側の平面図はどちらも図５と同様であるため、図５〜図８はその横軸座標の位置を揃えるようにして示した。
【００４０】
図５〜図８に示した表示体４〜表示体６は、前記微細レリーフ部１５と回折格子部１６とを備えている。この回折格子部１６は、無地もしくは文字形状や地紋などの図形やパターン画像からなる第一の回折画像領域１６ａと、それと異なる回折光を発生させる第二の回折画像領域１６ｂの、少なくとも２種類の回折画像領域を備えている。
またここでも、微細レリーフ部１５と回折格子部１６とは重ならないように互いに隙間なく隣接して設けられており、両者の位置関係は、どちらが内側でも外側でもよい。
【００４１】
図６は、本発明の表示体の第４の構成としてその断面構造を示す。
表示体４は、第一基材１１に微細構造形成層１２，部分反射層２１，接着層１４を備えている。また、前記微細構造形成層１２には微細レリーフ部１５及び回折格子部１６を備えている。微細レリーフ部１５と回折格子部１６は、互いに隙間無く隣接して形成されている。
この表示体４では、部分反射層２１は前記微細構造形成層１２の回折格子部１６の領域にのみ設けられ、微細レリーフ部１５には部分反射層２１は設けられない。
【００４２】
図７は、本発明の表示体の第５の構成としてその断面構造を示す。
表示体５は、第一基材１１に微細構造形成層１２、部分反射層２１、接着層１４、さらに第二基材１７が、この順序で積層されている。微細構造形成層１２に設けられた微細レリーフ部１５と回折格子部１６は、互いに隙間無く隣接して形成されている。
この表示体５では、部分反射層２１は前記微細構造形成層１２の回折格子部１６にのみ設けられ、微細レリーフ部１５には部分反射層２１は設けられない。また、接着層１４は微細構造形成層１２および部分反射層２１の下層の全面に積層され、その下層に第二基材１７が積層される。
【００４３】
図８は、本発明の表示体の第６の構成としてその断面構造を示す。
表示体６は、支持体６１の一方の主面に剥離保護層６２、微細構造形成層１２、部分反射層２１、接着層１４が、この順に積層されている。
表示体６のうち支持体６１を除いた残りの層構成は、転写層６４となる。転写層６４は、被転写基材に転写するための転写箔として用いられる。
【００４４】
微細構造形成層１２に設けられた微細レリーフ部１５と回折格子部１６は、互いに隙間無く隣接して形成されている。
ただし、前記部分反射層２１は、前記微細構造形成層１２の回折格子部１６にのみ設けられ、微細レリーフ部１５には部分反射層２１は設けられない。また、接着層１４は微細構造形成層１２および部分反射層２１の下層の全面に積層される。
なお前記剥離保護層６２は、支持体６１から転写層６４を剥離した際、転写層を摩擦による傷や各種薬品などの付着から保護するための層である。
【００４５】
図９は本発明の表示体の第７の構成〜第９の構成の観察面を示す平面図で、図１０〜図１２は図９のＣ−Ｃを結ぶ線による断面部分の構成を示した図である。
【００４６】
図９〜図１２に示した表示体７〜９は、微細レリーフ部１５と回折格子部１６とを備えている。この回折格子部１６には、無地もしくは文字形状や地紋などの図形やパターン画像からなる第一の回折画像領域１６ａと、それとは異なる回折光を発生させる第二の回折画像領域１６ｂの少なくとも２種類の回折画像を備える。
なお、前記回折格子部１６において、反射層が無い部分がディメタライズド領域１６ｃであり、このディメタライズド領域１６ｃは目視では透明に見えるので、回折光は観察されずに接着層より下層が観察できる。
【００４７】
微細レリーフ部１５と回折格子部１６は、重ならないように互いに隙間無く隣接して設けられていれば、両者の位置関係はどちらが内側でも外側でもよく、図９に示すように、左側の六角の星模様は内側が回折格子部１６で、外側の縁取り部が微細レリーフ部１５で形成され、更に、その周囲を円形のディメタライズド領域１６ｃで囲んでいる。
また、右側の五角の星模様では内側が微細レリーフ部１５で、外側の縁取り部が回折格子部１６で形成されており、更に、その周囲を楕円形のディメタライズド領域１６ｃで囲んでいる。
【００４８】
図１０は、本発明の表示体の第７の構成としてその断面構造を示す。
表示体７は、第一基材１１に微細構造形成層１２，部分反射層３１，接着層１４を備えている。また、表示体７の微細構造形成層１２は微細レリーフ部１５及び回折格子部１６を備えている。微細レリーフ部１５は微細レリーフ構造からなり、回折格子部１６は回折構造からなる。微細レリーフ領域１５と回折格子領域１６は、互いに隙間無く隣接して形成されている。
表示体７では、部分反射層３１は微細レリーフ部１５の一部及び回折格子部１６の一部に設けられている。接着層１４は、部分反射層３１の有無に関わらず、表示体７の下層の全面に形成される。
【００４９】
図１１は、本発明の表示体の第８の構成としてその断面構造を示す。
表示体８は、第一基材１１に微細構造形成層１２、部分反射層３１、接着層１４、第二基材１７が、この順序で積層されている。微細構造形成層１２は微細レリーフ部１５及び回折格子部１６を備えており、微細レリーフ部１５は微細レリーフ構造からなり、回折格子部１６は回折構造からなる。微細レリーフ部１５と回折格子部１６は、互いに隙間無く隣接して形成されている。
表示体８では、部分反射層３１は微細レリーフ部１５の一部及び回折格子部１６の一部に設けられる。また、接着層１４は、部分反射層の有無に関わらず、表示体８の下層の全面に形成され、さらにその下層に第二基材１７が積層される。
【００５０】
図１２は、本発明の表示体の第９の構成としてその断面構造を示す。
表示体９は、支持体６１の一方の主面に剥離保護層６２、微細構造形成層１２、部分反射層３１、接着層１４が、この順に積層されている。微細構造形成層１２は微細レリーフ部１５及び回折格子部１６を備えており、微細レリーフ部１５は微細レリーフ構造からなり、回折格子部１６は回折構造からなる。微細レリーフ部１５と回折格子部１６は、互いに隙間無く隣接して形成されている。
表示体９のうち支持体６１を除いた残りの層構成は、転写層６５となる。転写層６５は、被転写基材に転写するための転写箔として用いられる。
【００５１】
微細構造形成層１２に設けられた微細レリーフ部１５と回折格子部１６は、互いに隙間無く隣接して形成されている。
この表示体９では、部分反射層３１は微細レリーフ部１５の一部及び回折格子部１６の一部に設けられる。また、接着層１４は微細構造形成層１２および部分反射層３１の下層の全面に積層される。
【００５２】
以下に、本発明の表示体を構成する各層の材料および製造方法等の事例について、詳細に説明する。なお、これら各層の材料および製造方法等については、以下の事例に限定するものではなく、適宜選択して実施できるものとする。
【００５３】
（第一基材、第二基材）
第一基材１１は微細レリーフ構造形成層１２から接着層１４までの各層を保持するための基材であり、第二基材１７はスレッド用途などで接着層１４に重ねて積層され、微細レリーフ構造形成層１２から接着層１４までを第一基材１１と挟み込む構成となる。
第一基材１１及び第二基材１７の材料としては、例えば熱可塑性または光硬化性の樹脂を挙げる事ができる。熱可塑性樹脂または光硬化性樹脂を使用することにより、原版を用いた転写により、第一基材の片方の面に凹構造や凸構造を容易に形成する事ができる。
第一基材１１と第二基材１７は別々の異なる材料でも良いが、加工適性を考慮すると同じ材料を用いる事が望ましい。
また、光透過性の材料を用いることによって、それぞれの基材を介して表裏から表示素子として観察する事ができる。また、第一基材１１及び第二基材１７はそれぞれ複数種類の樹脂の積層体であってもよい。
【００５４】
（支持体）
支持体６１としては樹脂フィルムが使用できる。樹脂フィルムとしては、ポリエチレンテレフタレート樹脂フィルム、ポリエチレンナフタレート樹脂フィルム、ポリイミド樹脂フィルム、ポリエチレン樹脂フィルム、ポリプロピレン樹脂フィルム、耐熱塩化ビニルフィルム等が使用できる。これらの樹脂の中で、耐熱性が高く厚みが安定している事から、ポリエチレンテレフタレート樹脂フィルムが好ましく使用できる。
また、これら樹脂フィルムには、帯電防止処理、マット加工、エンボス処理、文字や絵柄の印刷、レーザマーキング等の加工を施したフィルムも使用する事ができる。
【００５５】
（剥離保護層）
剥離保護層６２としては、樹脂に滑剤を添加したものが使用できる。樹脂としては、熱可塑性樹脂、熱硬化性樹脂、湿気硬化性樹脂、紫外線硬化性樹脂、電子線硬化性樹脂等が使用できる。例えば、アクリル樹脂やポリエステル樹脂、ポリアミドイミド樹脂である。  また、滑剤としてはポリエチレンパウダーや、カルナバロウ等のワックスを使用する事ができ、２０重量部まで添加する事が可能である。これらは前記支持体６１上にグラビア印刷法やマイクログラビア法等、公知の塗布方法によって形成される。
【００５６】
（微細レリーフ構造）
微細レリーフ構造は、微細な凹凸部を加工形成するために、例えば、感光性樹脂材料に電子ビームによってパターンを描画する方法により形成する事ができる。
あるいは、表面レリーフ型ホログラムの作製方法のように、微細凹凸に対応する微細な凹凸を備えた原版を、例えばフィルム上に積層された熱可塑性樹脂に熱をかけながら押し当てる、いわゆる熱エンボス加工法により形成する事ができる。
また、フィルム等の透明基材に紫外線硬化樹脂を塗布し、これに原版を押し当てながら、基材側から紫外線を照射して紫外線硬化樹脂を硬化させた後に原版を取り除くという手順によっても、微細レリーフ構造を備えた第一基材を得る事ができる。
【００５７】
このとき、後に述べる回折構造を一緒に形成する事もできる。微細な凹凸を備えた原版は、例えば、二光束干渉法を用いてホログラムパターンを記録した樹脂や、電子ビームによってパターンを描画した樹脂を母型とする方法、またはバイトによって金属を切削する方法により得られた母型の電鋳を行う事により得られる。
ここで前記微細レリーフ部１５を形成する微細レリーフ構造は、必ずしもそれぞれが同一の大きさ・形状である必要はなく、配列の規則性が維持されていればよい。またその断面形状に関しても、上述の可視光に対する反射率低減の効果を示すものであれば、特に限定されるものではない。
【００５８】
（回折構造）
回折構造は、レリーフ型回折格子等の回折構造体が利用できる。
前記レリーフ型回折格子は、その表面に微細な凹凸パターンの形態で回折格子を記録したものである。凹凸パターンは、例えば、二光束干渉法を使用して感光性樹脂の表面に互いに可干渉の２本の光線を照射してこの感光性樹脂表面に干渉縞を生成させ、この干渉縞を凹凸の形態で感光性樹脂に記録する事で形成できる。
なお、この二光束性干渉法によって形成された干渉縞も回折格子であり、前記２本の光線の選択によって任意の立体画像を回折格子パターンとして記録する事が可能である。また、観察する角度に応じて異なる画像（以下チェンジング画像と言う）が見られるように記録する事も可能である。
【００５９】
本発明の表示体に用いられる回折構造物となる画像パターンを記録する方法については、前記二光束干渉法の他にも、イメージホログラムやレインボーホログラム、インテグラルホログラムなど、従来から知られているホログラムの製造方法により作製することが可能である。
【００６０】
また、レリーフ型回折格子の凹凸パターンは、電子線硬化型樹脂の表面に電子線を照射して、回折格子となる縞状パターンに露光する事によって回折構造物を形成する事も可能である。この場合には、その干渉縞を１本ごとに制御する事ができるため、ホログラムと同様に任意の立体画像やチェンジング画像を記録する事ができる。
また、画像をドット状の画素領域に分割し、この画素領域ごとに異なる回折格子を記録し、これら画素の集合で全体の画像を表現する事も可能である。画素は円形のドットの他、星形のドットでも良い。
【００６１】
また、誘起表面レリーフ形成法によって、前記凹凸パターンを形成する事も可能である。すなわち、アゾベンゼンを鎖側に持つポリマーのアモルファス薄膜に対して、青色〜緑色に渡る範囲の、ある波長を有した数十ｍＷ／cm2程度の比較的弱い光を照射する事によって数μｍスケールでポリマー分子の移動を起こし、その結果として薄膜表面に凹凸によるレリーフを形成する事ができる。
【００６２】
そして、このように形成された凹凸パターンを有するレリーフ型のマスター版の表面に電気メッキ法で金属膜を形成する事によって、レリーフ型マスター版の凹凸パターンを複製し、これをプレス版とする。そして、第一基材１１上の微細構造形成層１２にこのプレス版を熱圧着し、この微細構造形成層１２の表面に凹凸パターンを転写する事で、回折構造を形成する事ができる。
【００６３】
前記微細レリーフ構造とレリーフ型回折格子による回折構造を備える微細構造形成層１２に適用される樹脂としては、熱可塑性樹脂、熱硬化性樹脂、紫外線あるいは電子線硬化性樹脂等が使用できる。
例えば、熱可塑性樹脂では、アクリル系樹脂、エポキシ系樹脂、セルロース系樹脂、ビニル系樹脂等が挙げられる。また、反応性水酸基を有するアクリルポリオールやポリエステルポリオール等にポリイソシアネートを架橋剤として添加して架橋させたウレタン樹脂、メラミン系樹脂、フェノール系樹脂等が使用できる。また、紫外線あるいは電子線硬化性樹脂としては、エポキシ（メタ）アクリル、ウレタン（メタ）アクリレート等が使用できる。
【００６４】
（反射層）
反射層１３及び部分反射層２１および３１は、微細構造形成層１２に直接接して設けられる。
反射層１３及び部分反射層２１および３１として、反射輝度が高いことにより金属薄膜が好ましく利用できる。この金属薄膜に用いられる金属としては、例えば、Ａｌ、Ｓｎ、Ｃｒ、Ｎｉ、Ｃｕ、Ａｕ、真鍮等が挙げられる。
そして、真空製膜法を利用してこの金属薄膜を形成する事ができる。真空製膜法としては、真空蒸着法、スパッタリング法等が適用でき、薄膜の厚みは５〜１０００ｎｍ程度に制御できれば良い。
【００６５】
また、反射層１３及び部分反射層２１および３１として、高屈折率の透明薄膜を利用する事もできる。透明薄膜は、微細構造形成層１２の屈折率より０．２以上大きい屈折率を有するものが望ましく、例えば、屈折率２．０以上の透明材料から構成される薄膜である。但し、透明薄膜は微細構造形成層１２の微細レリーフ部１５では反射層としてはほとんど機能しないため、主に回折格子部１６で反射層として機能する。
【００６６】
前記透明薄膜を構成する材料としては、例えば、Ｓｂ2Ｏ3（屈折率n＝３．０）、Ｆｅ2Ｏ3（ｎ＝２．７）、ＴｉＯ2（ｎ＝２．６）、Ｃｄｓ（ｎ＝２．６）、ＣｅＯ2（ｎ＝２．３）、ＺｎＳ（ｎ＝２．３）、ＰｂＣｌ2（ｎ＝２．３）、ＣｄＯ（ｎ＝２．２）、Ｓｂ2Ｏ3（ｎ＝２．０）、ＷＯ3（ｎ＝２．０）、ＳｉＯ（ｎ＝２．０）、Ｓｉ2Ｏ3（ｎ＝２．５）、Ｉｎ2O3（ｎ＝２．０）、ＰｂＯ（ｎ＝２．６）、Ｔａ2Ｏ3（ｎ＝２．４）、ＺｎＯ（ｎ＝２．１）、ＺｒＯ2（ｎ＝２．０）、等が挙げられる。
そして、真空製膜法を利用してその薄膜を形成する事ができる。薄膜の厚みは５〜１０００ｎｍ程度で良い。
【００６７】
また、金属粉末や透明材料の粉末を含むインキを印刷して薄膜としても良い。この場合、粉末としては粒子径５００ｎｍ以下のものが好ましい。薄膜の厚みは０．１〜２０μｍが好ましく、印刷方式として、グラビア印刷法、フレキソ印刷法、スクリーン印刷法等、公知の印刷方法が利用できる。
【００６８】
反射層を任意のパターンに加工して部分反射層２１及び３１とする方法として、以下の方法が用いられる。
即ち、反射層を形成する第１の方法は、前述の印刷方式を利用する方法である。
また、第２の方法は、微細構造形成層１２に画像パターン状の開口部を有するマスクを重ねて部分反射層２１及び３１を各々の工程で真空製膜する事により、画像パターン状に製膜する方法である。
【００６９】
第３の方法は、まず、溶剤溶解性の樹脂層を微細構造形成層１２上にネガパターン状に設け、次にこの溶剤溶解性樹脂層を被覆して全面一様な反射層１３を形成した後、溶剤で前記の溶剤溶解性樹脂層を溶解して除去すると同時に、この溶剤溶解性樹脂層上に重ねられた反射層１３を除去する事によって、微細構造形成層１２上に反射層１３が画像パターン状に残存し、部分反射層２１及び３１となる方法である。
【００７０】
また、第４の方法は、まず、微細構造形成層１２上に、微細構造形成層１２から剥離しやすい樹脂層をネガパターン状に設け、次にこの樹脂層を被覆して全面一様に反射層１３を形成した後、粘着ロールや粘着紙等に押し当てる事によって粘着ロールや粘着紙等にネガパターン状に転写させて除去し、結果、反射層１３が画像パターン状に残存され、部分反射層２１及び３１となる方法である。
【００７１】
次に、第５の方法は、微細構造形成層１２上の全面一様に反射層１３を形成し、この反射層１３上に耐薬品性の樹脂層を画像パターン状に設け、アルカリ性または酸性のエッチング液を適用して露出している反射層１３を溶解して除去し、部分反射層２１及び３１とする方法である。
この場合、反射層１３を画像パターン状に加工した後、前記耐薬品性樹脂層を除去しても良いが、そのまま部分反射層２１及び３１上に残存させて、耐薬品性を持たせるための保護層として利用する事もできる。
【００７２】
次に、第６の方法は、微細構造形成層１２上に全面一様に形成された反射層１３に感光性樹脂層を形成し、画像パターン状に露光・現像した後、アルカリ性または酸性のエッチング液を適用して、露出した反射層１３を溶解して除去する方法である。
この場合も、残存する感光性樹脂層をそのまま残存させて、耐薬品性を持たせる保護層として利用する事ができる。
【００７３】
また、第７の方法は、全面一様に形成された反射層１３にレーザー光を照射して除去する事により、残存する反射層１３がそのまま部分反射層２１及び３１として画像パターン状とする方法である。
【００７４】
（接着層）
接着層１４としては、熱及び圧力によって被転写基材に接着するものであれば良く、公知の感熱性接着材料を使用する事ができる。
【００７５】
（その他の層）
図には示さないが、その他の層として各層間の密着性をより強固なものとするためにアンカー層を設けたり、回折格子部１６を着色したり、文字や絵柄を印刷するために印刷層を追加する事ができる。これらのインキとしては、周知の密着向上剤や接着剤、印刷インキをそれぞれ使用する事ができる。
【００７６】
（偽造防止媒体及び偽造防止用紙）
本発明に係る表示体を、オフセット印刷法やスクリーン印刷法、凹版印刷法などの公知の印刷方法で印刷した紙やプラスチック等で構成される媒体に貼付したり、または紙層中に漉き込んだりプラスチック基材中に埋め込む事により、偽造防止媒体もしくは偽造防止用紙とする事が出来る。
【００７７】
次に、本発明の偽造防止媒体に関して、以下の実施例によって詳細に説明する。
【実施例１】
【００７８】
図１３は本発明に係る第１０の構成を示す平面図であり、図１４は、図１３のＷ−Ｗを結ぶ線の断面の構成を示す断面図である。
まず、前述の第１の構成による表示体１を用いて、これを紙に貼付した偽造防止媒体１００について説明する。表示体１の基材１１として、厚さ２５μmの透明なポリエチレンテレフタレート（通称ＰＥＴ）フィルムを使用した。また、偽造防止媒体１００の基材として、プラスチック基材１８を使用した。
【００７９】
この基材１１の片面に、下記（インキ組成１）に示した微細構造形成層インキ組成物からなるインキを塗布・乾燥し、膜厚１．５μmの微細構造形成層１２を形成した後、ロールエンボス法によりプレス版を熱圧して、その表面に微細レリーフ構造と回折格子を発生させるための凹凸を同時に形成した。
【００８０】
次に、この微細構造形成層１２の全面に真空蒸着法にてアルミニウム蒸着膜を膜厚５０ｎｍにて均一に形成し、反射層１３を形成した。
【００８１】
また、この反射層１３上に、下記（インキ組成１）に示した接着層インキ組成物からなるインキを塗布・乾燥し、膜厚３μｍのホットメルトタイプの接着層１４を形成して、本発明の第１の構成による表示体１を作製した。
【００８２】
次に、この表示体１を予め所望の大きさに加工して、文字や絵柄など所望の印刷を行ったプラスチック基材１８に重ね、温度１２０℃に保持した熱プレス機の熱板を表示体１の第一基材１１側から加熱加圧して貼付し、本発明に係る第１０の構成として偽造防止媒体１００を作製した。
【００８３】
（インキ組成１）
「微細構造形成層インキ組成物」
ＵＶ硬化型アクリル樹脂                          ２０．０重量部
反応性シリコーン                                  １．０重量部
メチルエチルケトン                              ５０．０重量部
酢酸エチル                                      ３０．０重量部
【００８４】
「接着層インキ組成物」
塩化ビニル酢酸ビニル共重合樹脂                  １５．０重量部
アクリル樹脂（Ｔｇ．２０℃）                    １０．０重量部
シリカ                                            １．０重量部
メチルエチルケトン                              ４４．０重量部
トルエン                                        ３０．０重量部
【実施例２】
【００８５】
次に、実施例２として、本発明に係る第１１の構成を用いた転写箔を紙基材に転写して作製した偽造防止媒体について以下に説明する。
図１５は本発明に係る第１１の構成を示す平面図であり、図１６は、図１５のＸ−Ｘを結ぶ線の断面の構成を示す断面図である。
この第１１の構成は、図１２で示した第９の構成を最初に設けた後、被転写基材に転写した後、支持体６１を剥離したものである。
【００８６】
まず、図１２を用いて説明する。最初に、支持体６１として、厚さ２５μmの透明なポリエチレンテレフタレート（通称ＰＥＴ）フィルムを使用した。
【００８７】
この支持体６１の片面に、下記（インキ組成２）に示した剥離保護層インキ組成物からなるインキを塗布・乾燥し、膜厚２μmの剥離保護層６２を形成した。
【００８８】
次に、下記（インキ組成２）に示した微細構造形成層インキ組成物からなるインキを塗布・乾燥し、膜厚１．５μmの微細構造形成層１２を形成した後、ロールエンボス法によりプレス版を熱圧して、その表面に微細レリーフ構造と回折構造を発生させるための凹凸を同時に形成した。
【００８９】
次いで、この微細構造形成層１２の全面に、真空蒸着法にてアルミニウム蒸着膜を膜厚５０ｎｍにて均一に形成し、石英ガラスにマスクパターンを形成したマスク版をアルミ蒸着膜上に配置し、波長１０６４ｎｍのレーザ光を出力３ｗで照射してスキャニングを行い、微細レリーフ部１５の一部と回折格子部１６の一部に部分反射層５８を形成した。
【００９０】
次に、下記（インキ組成２）に示した接着層インキ組成物からなるインキを塗布・乾燥させて厚さ３μmの接着層１４を形成し、微細構造転写箔である表示体９を作製した。
【００９１】
続いて図１５および図１６を用いて説明する。ここでは基材として紙基材７０を用いた。前記で作製した表示体９を、予め文字や絵柄など所望の印刷を行った紙基材７０に重ね、温度１２０℃に熱した円型の真鍮製版を瞬間的に圧着させる転写機を用いて紙基材７０に転写した。続いて支持体６１を剥離除去し、偽造防止媒体２００を作製した。
【００９２】
（インキ組成２）
「剥離保護層インキ組成物」
ポリアミドイミド樹脂（Ｔｇ．２５０℃）          １９．０重量部
ポリエチレンパウダー                              １．０重量部
ジメチルアセトアミド                            ４５．０重量部
トルエン                                        ３５．０重量部
【００９３】
「微細構造形成層インキ組成物」
ＵＶ硬化型アクリル樹脂                          １９．５重量部
反応性シリコーン                                  ０．５重量部
メチルエチルケトン                              ５０．０重量部
酢酸エチル                                      ３０．０重量部
【００９４】
「接着層インキ組成物」
塩化ビニル酢酸ビニル共重合樹脂                  １５．０重量部
アクリル樹脂（Ｔｇ．２０℃）                    １０．０重量部
シリカ                                            １．０重量部
メチルエチルケトン                              ４４．０重量部
トルエン                                        ３０．０重量部
【実施例３】
【００９５】
次に実施例３として、図１１および図１７、図１８を用いて作製した偽造防止媒体３００について説明する。図１１は前述の通り本発明の第８の構成の表示体８を示しており、図１７および図１８は本発明に係る第１２の構成を示す。
【００９６】
本実施例で作製する偽造防止媒体３００は、まず第８の構成による表示体８を作製し、これを紙基材１９の中に透き込むことにより、窓開き部４１を有する窓開きスレッドとした構成である。ここでは、偽造防止媒体の基材として紙基材１９を用いている。
表示体８の第一基材１１及び第二基材１７には、厚さ１２μｍの透明なポリエチレンテレフタレート（通称ＰＥＴ）フィルムを使用した。
【００９７】
まず、この第一基材１１の片面に、下記（インキ組成３）に示した微細構造形成層インキ組成物からなるインキを塗布・乾燥し、膜厚１．５μｍの微細構造形成層１２を形成した後、ロールエンボス法によりプレス版を熱圧して、その表面に微細レリーフ構造と回折格子を発生させるための凹凸を同時に形成した。
【００９８】
次に、この微細構造形成層１２の全面に、真空蒸着法にてアルミニウム蒸着膜を膜厚５０ｎｍにて均一に形成し、石英ガラスにマスクパターンを形成したマスク版をアルミ蒸着膜上に配置し、波長１０６４ｎｍのレーザ光を出力３ｗで照射してスキャニングを行い、ディメタライズド加工を行って前記アルミニウム蒸着膜の一部を除去し、部分反射層３１を形成した。
【００９９】
続いて、下記（インキ組成３）に示した接着層インキ組成物からなるインキを塗布・乾燥し、膜厚３μｍの接着層１４を形成し、第二基材１７をドライラミネート方式にて貼り合わせ加工し、本発明の第８の構成による表示体８を作製した。
【０１００】
次に、針葉樹パルプを水中で叩解後、手漉き装置を用いて任意の形状に設計された窓開き部４１から表示体８が露出するように紙層中に漉き込んで脱水、乾燥させ、本発明第１２の構成による偽造防止媒体３００（１２０ｇ／ｍ２）を作製し、凹版印刷法オフセット印刷法により、この偽造防止媒体３００に文字、絵柄等を印刷した。
【０１０１】
（インキ組成３）
「微細構造形成層インキ組成物」
ＵＶ硬化型アクリル樹脂                          ２０．０重量部
反応性シリコーン                                  １．０重量部
メチルエチルケトン                              ５０．０重量部
酢酸エチル                                      ３０．０重量部
【０１０２】
「接着層インキ組成物」
ウレタン樹脂                                    ２５．０重量部
メチルエチルケトン                              ４５．０重量部
酢酸エチル                                      ３０．０重量部
【０１０３】
（比較例１）
次に、比較例１として、従来のディメタライズド回折構造物を有する表示体４０１を有する、偽造防止媒体４００を作製した例について説明する。
図１９および図２０は、前記偽造防止媒体４００の構成を示す図である。
【０１０４】
まず、厚さ２５μｍの透明なポリエチレンテレフタレート（通称ＰＥＴ）フィルムを支持基材５１とし、この支持基材５１の片面に、下記（インキ組成４）に示した回折構造形成層インキ組成物からなるインキを塗布・乾燥し、膜厚１μｍの層を形成した後、ロールエンボス法により回折格子形成用のプレス版を熱圧してその表面に回折格子を発生させるためのエンボス５３を形成し、回折構造形成層５２とした。
【０１０５】
次に、この回折構造形成層５２の全面に、真空蒸着法にてアルミニウム蒸着膜を膜厚５０ｎｍにて均一に形成し、その後、石英ガラスにマスクパターンを形成したマスク版をアルミ蒸着膜上に配置し、波長１０６４ｎｍのレーザ光を出力３ｗで照射してスキャニングを行い、ディメタライズド加工を行って、前記反射層が除去された領域としてディメタライズド領域５４を形成し、反射層が残った領域として部分反射層領域５５を得た。
【０１０６】
最後に、下記（インキ組成４）に示した接着層インキ組成物からなるインキを塗布・乾燥させて厚さ３μｍの接着層５６を形成し、この回折構造を有する表示体４０１を、予め文字や絵柄など所望の印刷を行った白色のプラスチック基材５７に重ね、温度１２０℃に熱した真鍮製版を瞬間的に圧着させる転写機を用いてプラスチック基材５７に貼付して、偽造防止媒体４００を作製した。
【０１０７】
（インキ組成４）
「回折構造形成層インキ組成物」
アクリルポリオール樹脂                          ２０．０重量部
メチルエチルケトン                              ５０．０重量部
トルエン                                        ３０．０重量部
【０１０８】
「接着層インキ組成物」
塩化ビニル酢酸ビニル共重合樹脂                  １５．０重量部
アクリル樹脂（Ｔｇ．２０℃）                    １０．０重量部
シリカ                                            １．０重量部
メチルエチルケトン                              ４４．０重量部
トルエン                                        ３０．０重量部
【０１０９】
以上の実施例１〜３および比較例１で作製した偽造防止媒体を、それぞれ観察した結果を説明する。
【０１１０】
まず、前記実施例１で作製した、図１３および図１４で示す構成の偽造防止媒体１００を観察した。楕円形状である表示体１を正面から見ると、星型のパターンや“○○百貨店”の文字などが回折格子部１６として回折構造が形成されて、その回折光を観察する事ができた。
【０１１１】
一方、前記回折格子部１６以外は全て微細レリーフ部１５として微細レリーフ構造が形成され、灰色から黒色に観察された。この時の微細レリーフ部１５及び回折格子部１６の各々の可視光反射率は、微細レリーフ部１５で８％、回折格子部１６で６５％であった事から、回折構造による回折光画像周辺の可視光反射率が低いために回折光画像のコントラストが高くなり、比較例として作製した偽造防止媒体の回折光画像よりも明瞭かつ鮮明に視認する事ができた。
【０１１２】
次に、実施例２で作製した図１５および図１６で示す偽造防止媒体２００上の転写層２０１を観察したところ、角丸の付いた四角形状である外縁を、反射層が無い回折格子部１６であるディメタライズド領域１６ｃが取り囲んでおり、正面方向から図柄を見ると五角星パターンによる第一の回折画像領域１６ａや“１００００”と“○○百貨店”の文字パターンによる第二の回折画像領域１６ｂが、部分反射層５８がある回折格子部１６として、回折光を観察する事ができた。
【０１１３】
その一方で、前記回折格子部１６以外は全て微細レリーフ部１５として微細レリーフ構造が形成されているため、灰色から黒色に観察された。この時の微細レリーフ部１５及び回折格子部１６の各々の可視光反射率を測定したところ、微細レリーフ部１５の可視光反射率が８％、回折格子部１６の可視光反射率が６５％であった。
【０１１４】
この事から、回折構造による回折光画像周辺の微細レリーフ部１５の可視光反射率が低いために回折光画像のコントラストが高くなり、比較例である従来の回折構造転写部を有する偽造防止媒体４００よりも明瞭かつ鮮明に、回折光パターンを観察する事ができた。
【０１１５】
次に、偽造防止用紙７上の転写層８を水平に近い方向から観察したところ、回折画像１６１や１６２の回折光はほとんど観察されず、また、部分反射層２２が無い微細レリーフ領域１５は灰色から黒色のままであるが、部分反射層２２がある微細レリーフ領域１５である中央部の六角の星パターン部では回折光が発生し、比較例である従来の回折構造転写部１０を有する偽造防止用紙９では光学的な効果がほとんど得られない観察角度において偽造防止用紙７上の転写層８では緑色の回折光を観察する事ができた。
【０１１６】
また、前記実施例３で作製した、図１７および図１８で示す構成の偽造防止用紙３００は、紙基材１９の紙層中に表示体８が漉き込まれており、図１７の点線で囲んだ窓開き部４１は表裏の両面が窓開き構造となっている。
【０１１７】
この窓開き部４１では、表示体８を偽造防止用紙３００の表裏で視認する事ができ、表面から観察した場合には、中心部に六角の星模様からなる微細レリーフ部１５があり、その内側に“１００００”の文字と“○○百貨店”の文字からなる第二の回折画像領域１６ｂが形成され、微細レリーフ部１５が灰色から黒色をしている中で“１００００”の文字と“○○百貨店”の文字が表された第二の回折画像領域１６ｂを明瞭かつ鮮明に観察することができた。
【０１１８】
また、六角の星模様の微細レリーフ部１５の周囲には、無地もしくは図形パターンからなる回折画像がディメタライズされて反射層がないディメタライズド領域１６ｃが形成されており、その外側にまた微細レリーフ部１５が形成され、そこに複数の小さな五角の星模様からなる第二の回折画像領域１６ｂが配置されている。
このように、内側の微細レリーフ部１５からなる六角の星模様を縁取るようにディメタライズド領域１６ｃが配置されているため、灰色から黒色である微細レリーフ部１５の中に五角の星模様からなる第二の回折画像領域１６ｂの回折光を明瞭かつ鮮明に観察する事ができた。
【０１１９】
この表示体８の微細レリーフ部１５と回折格子部１６の可視光反射率を測定したところ、微細レリーフ部１５で１８％、回折格子部１６で６２％であり、十分なコントラストがあるため、前記比較例１で作製した偽造防止媒体４００の回折構造を有する表示体４０１における回折光画像よりも、表示体８の回折光画像の方が明瞭かつ鮮明に視認する事ができた。
【０１２０】
一方、比較例１において、従来の回折構造転写部４０１を有する偽造防止媒体４００では、第一の回折画像領域１６ａの可視光反射率は６８％であった。
またディメタライズ領域１６ｃの可視光反射率は、ディメタライズド領域が透明であるため下地の印刷色や印刷濃度・絵柄によって異なるが、下地のカード基材５７が白色の場合には７６％であった。このとき、第一の回折格子領域１６ａとディメタライズド領域１６ｃとの可視光反射率の差が８％しかなく、コントラストがかなり少ないため視認性は前記実施例に比べて劣る。
【０１２１】
また、ディメタライズド領域１６ｃの下地に、黒色や灰色でのベタ印刷、または濃い青色や濃い緑色でのベタ印刷など暗い色調の印刷を施したときには、可視光反射率は２０％以下とすることが可能であるが、可視光透過率が多色混色状態でも２０％以上となってしまい、やはりディメタライズド領域１６ｃとのコントラストが低い。そのため、視認性は前記実施例１〜３に比べて劣る。
【０１２２】
以上のように、本発明の表示体は、可視光反射率が５０％以上の回折格子領域の周囲もしくは内側に隣接して可視光反射率２０％以下の微細レリーフ構造領域を形成した事により、従来の回折格子領域とレリーフがない領域から構成される表示体と比較して、回折光のコントラストがより向上し、回折光画像の視認性が格段に向上することがわかった。
また、本発明の表示体を用いて作製された偽造防止媒体及び偽造防止用紙も同様の効果を得ることができた。
【産業上の利用可能性】
【０１２３】
本発明を用いることにより、従来にない視覚効果を有し、かつ微細な構造を形成する必要から極めて偽造困難であるため高い偽造防止効果を備え、さらに意匠性が高いことから、証明書や有価証券等のセキュリティを重視した用途の他に、装飾用途を加味したカード、はがき、書籍等の印刷物とあわせて用いることができる。
【符号の説明】
【０１２４】
１、２、３、４、５、６、７、８、９：表示体
１１：第一基材  １２：微細構造形成層  １３：反射層
１４：接着層  １５：微細レリーフ部  １６：回折格子部
１６ａ：第一の回折画像領域  １６ｂ：第二の回折画像領域
１６ｃ：ディメタライズド領域
１７：第二基材  １８：プラスチック基材
１９：紙基材（窓開きスレッド用紙基材）
２１：部分反射層（回折格子部１６）
３１：部分反射層（微細レリーフ部の一部及び回折格子部の一部）
４１：窓開き部  ４２：透き込み部
５１：支持基材  ５２：回折構造形成層  ５３：エンボス
５４：ディメタライズ部  ５５：部分反射層
５６：接着層  ５７：プラスチック基材  ５８：部分反射層
６１：支持体  ６２：剥離保護層  ６５：転写層
７０：紙基材
１００、２００、３００、４００：偽造防止媒体
２０１：転写層
４０１：表示体
【図１】
2011027832.tif 000003
【図２】
2011027832.tif 000004
【図３】
2011027832.tif 000005
【図４】
2011027832.tif 000006
【図５】
2011027832.tif 000007
【図６】
2011027832.tif 000008
【図７】
2011027832.tif 000009
【図８】
2011027832.tif 000010
【図９】
2011027832.tif 000011
【図１０】
2011027832.tif 000012
【図１１】
2011027832.tif 000013
【図１２】
2011027832.tif 000014
【図１３】
2011027832.tif 000015
【図１４】
2011027832.tif 000016
【図１５】
2011027832.tif 000017
【図１６】
2011027832.tif 000018
【図１７】
2011027832.tif 000019
【図１８】
2011027832.tif 000020
【図１９】
2011027832.tif 000021
【図２０】
2011027832.tif 000022